(57)【特許請求の範囲】
【請求項１】
上方に開口するタンクをハウジングに内装し、タンク内の水を便器に排出するロータンクにおいて、ハウジングの内周面のタンクよりも上部の位置に平面視においてタンクの外周面とハウジングの内周面との間を覆うフランジ部を周設し、ハウジング上面に手洗い部を設け、手洗い部の下端部に排水手段を設け、排水手段が上向きに開口し手洗い部と連通する上開口と、斜め下向きに開口する下開口部と、上開口と下開口部とを接続する流路部と、流路部内の上開口の下方に設けた水受け部とを備え、下開口部先端の水平に離れた位置に手洗い部から鉛直下方に向けて突出する壁を設けて成ることを特徴とするロータンク。
【請求項２】
フランジ部の上面を先端に行くにつれて下方に傾斜するように形成して成ることを特徴とする請求項１記載のロータンク。
【請求項３】
上記フランジ部の先端をタンクの内周面よりも内側に突出し、該フランジ部の先端に下向きに突出する水漏れ防止片を設け、水漏れ防止片の下面がタンクの上端面よりも下方に位置するように形成して成ることを特徴とする請求項１又は請求項２記載のロータンク。
【発明の詳細な説明】
【０００１】
【発明の属する技術分野】
本発明は、結露した水の漏れを防止するロータンクに関するものである。
【０００２】
【従来の技術】
従来からトイレ空間のスペースを確保するためにタンク１と温水洗浄装置等のタンク１以外のトイレ廻りの設備とをハウジング２′に内装した下記のようなロータンクが知られている。ハウジング２′は上方が開口するハウジング本体１２′とハウジング本体１２′の開口を覆う蓋１３′とで構成されている。ハウジング本体１２′の開口はタンク１の開口よりも上方に位置している。
【０００３】
ところで上記従来のロータンクは水を入れたタンク１をハウジング２′に内装しているため、ハウジング２′内の湿度が高くなり、ハウジング２′の蓋１３′の下面に結露し、結露した水が蓋１３′を伝わってハウジング本体１２′とタンク１との間に流れ込んでしまったり、タンク１内に貯えられた水が跳ねかえって飛散し、ハウジング本体１２′とタンク１との間に流れ込んでしまっていた。さらにハウジング本体１２′とタンク１との間に流れ込んだ水がハウジング２′に内装された温水洗浄装置等のトイレ廻りの設備にまで
至り、トイレ廻りの設備の故障の原因となってしまっていた。
【０００４】
また図４に示すような上記ロータンクのハウジング２′の上面に使用者が手を洗うための手洗い部５′を蓋１３′と一体に設けたロータンクも知られている。このロータンクの手洗い部５′は下端部に排水手段６′を有しており、手洗い部５′に供給された水を排水手段６′からタンク１に排水することで、手洗い部５′で使用された水を便器を洗浄するための水として再利用している。
【０００５】
ところが上記従来の手洗い部５′を有するロータンクは排水手段６′とタンク１との間には何ら遮蔽するものが設けられておらず、図４に示すように手洗い部５′から排出された水は直接タンク１に入るため、手洗い部５′から排出された水がタンク１の水に衝突して飛散し、飛散した水がハウジング本体１２′とタンク１との間に流れ込んでしまったり、蓋１３′とハウジング本体１２′との間よりロータンクの外に漏れ出してしまったりしていた。また手洗い部５′から排出された水がタンク１内に設けられたボールタップやダグラスバルブ等の排水弁に勢いよく当たってしまい、ロータンクの給水や排水に誤動作が生じてしまっていた。
【０００６】
【発明が解決しようとする課題】
本発明は上記の点に鑑みてなされたものであり、その目的とするところは、タンク内の水が結露や衝突による飛散等によってタンクとハウジングとの間に流れ込み、タンクから漏れ出すことを防止したロータンクを提供することを課題とするものである。
【０００７】
【課題を解決するための手段】
上記課題を解決するために本発明に係るロータンクは、上方に開口するタンク１をハウジング２に内装し、タンク１内の水を便器に排出するロータンクにおいて、ハウジング２の内周面のタンク１よりも上部の位置に平面視においてタンク１の外周面とハウジング２の内周面との間を覆うフランジ部３を周設し、ハウジング２上面に手洗い部５を設け、手洗い部５の下端部に排水手段６を設け、排水手段６が上向きに開口し手洗い部５と連通する上開口７と、斜め下向きに開口する下開口部と、上開口７と下開口部とを接続する流路部と、該流路部内の上開口７の下方に設けた水受け部１０とを備え、下開口部先端の水平に離れた位置に手洗い部５から鉛直下方に向けて突出する壁を設けて成ることを特徴とするものである。
【０００８】
上記のようにハウジング２にフランジ部３を設け、タンク１の外周面とハウジング２の内周面との間をフランジ部３で覆うことで、ハウジング２に結露した水やタンク１内に貯えられた水の水面から飛散した水がハウジング２とタンク１との間に流れ込むことを防止できるものである。また排水手段６の上開口７の下方に水受け部１０を設けることで、手洗い部５から排出された水の下方向への勢いを抑え、タンク１内の水が衝突して飛散しないようになり、タンク１とハウジング２との隙間に手洗い部５より排出された水が流れ込むことをより一層防止することができる。
【０００９】
請求項２記載のロータンクは請求項１記載のロータンクにおいて、フランジ部３の上面を先端に行くにつれて下方に傾斜するように形成して成ることを特徴とするものである。
【００１０】
上記のようにフランジ部３の上面を傾斜させることで、フランジ部３上面に水が留まることを防止し、スムーズにタンク１内に水を流すことができるものである。
【００１１】
請求項３記載のロータンクは請求項１又は請求項２記載のロータンクにおいて、上記フランジ部３の先端をタンク１の内周面よりも内側に突出し、該フランジ部３の先端に下向きに突出する水漏れ防止片４を設け、水漏れ防止片４の下面がタンク１の上端面よりも下方に位置するように形成して成ることを特徴とするものである。
【００１２】
上記のようにフランジ部３の先端に水漏れ防止片４を設けることで、フランジ部３の下面とタンク１の上端面との間を覆うことができ、より一層ハウジング２に結露した水やタンク１内に貯えられた水の水面から飛散した水がハウジング２とタンク１との間に流れ込むことを防止できるものである。さらにタンク１の上端部をハウジング２の内面と水漏れ防止片４の外面とで覆うことで、タンク１内に水を入れる等して生じるタンク１の上端部の変形を防止することができる。
【００１３】
【発明の実施の形態】
以下、本発明を添付図面に示す実施形態に基づいて説明する。
【００１４】
本発明のロータンクは、ハウジング２にタンク１と温水洗浄装置等のタンク以外のトイレ廻りの設備とを内装している。タンク１と温水洗浄装置等のトイレ廻りの設備とをハウジング２に一体に設けることで、トイレのスペースを確保し、またロータンクの外観も向上させている。ハウジング２はロータンクのメンテナンス性を高めるために図１に示すように上方が開口するハウジング本体１２とハウジング本体１２の開口を覆う蓋１３とで構成されており、ハウジング本体１２の上端部はタンク１の上端部より上側に位置するように配置されている。
【００１５】
蓋１３は天板１７と、天板１７の周端部に周設された下向きに突出する縦板１８とで構成されている。蓋１３の縦板１８の下端面の内側部には下向き突片１４が周設されており、ハウジング本体１２の開口の周縁部に相当する上端面に縦板１８の下端面の下向き突片１４を設けていない部分が当接することで、ハウジング本体１２に蓋１３が載置されている。またこの場合、下向き突片１４の下端面はハウジング本体１２の上端面よりもやや下方に位置しており、下向き突片１４の外周面によって蓋１３の縦板１８の下端面とハウジング本体１２の上端面との間とハウジング本体１２の上端部内面を覆っている。
【００１６】
ハウジング本体１２の内周面のタンク１よりもやや上側に位置する部分には内側に向かって突出するフランジ部３が周設されており、フランジ部３は平面視においてタンク１の外周面とハウジング２の内周面との間を覆っている。つまりフランジ部３の下面でタンク１とハウジング２との間を覆っていることとなる。このフランジ部３の内側端面（先端）はタンク１の内周面よりも内側に位置しており、フランジ部３の上面は内側に行くにつれて下方に傾斜している。
【００１７】
タンク１はタンク１へ給水するタンク給水口と、タンク１内の水を便器へと排水するタンク排水口とを有しており、タンク給水口とタンク排水口にはそれぞれ給水弁とダグラスバルブ等の排水弁とが設けられている。タンク１はタンク１内の水に浮き且つタンク１内の水位変化によって給水弁を開閉するボールタップを有している。また図には示さないがロータンクには使用者が上記排水弁を開閉できる操作部を有している。
【００１８】
このロータンクを利用しての便器の洗浄は、使用者が操作部を操作して排水弁を開き、タンク内１の水をタンク排水口から便器へと排水することで行われる。また排水によってタンク１内の水位が下がると水面に浮いているボールタップが下がり、それによって給水弁が開きタンク給水口よりタンク１内に給水される。給水が進むとタンク１内の水位は上がり、ボールタップが上昇して給水弁を閉じ、タンク１内への給水が止まり、初期状態である便器が洗浄できる状態に戻る。
【００１９】
ところで上記ロータンクは水が入っているタンク１がハウジング２に覆われているため、ハウジング２内は湿度が高く、タンク１の上方に位置する蓋１３の天板１７の下面や縦板１８の内周面は結露しやすい状態となっている。本実施形態では上述したようにハウジング本体１２にフランジ部３を設けることで、蓋１３の下面に結露した水を図１の矢印Ｂに示すように移動させている。すなわち蓋１３の天板１７の下面に結露した水は天板１７の下面、縦板１８の内周面と伝わってフランジ部３の上面に当たり、フランジ部３の内側に流れて、フランジ部３の内側端部よりタンク１内に落ちることとなる。このように蓋１３の下面に結露した水はタンク１内に確実に流れ込むために、ハウジング本体１２とタンク１との間に結露した水が入り込んだり、入り込んだ水がハウジング２に内装されたトイレ廻りの設備を故障させたりすることがなくなる。また図１に示すようにタンク１内に貯えられた水が飛散した場合においても、飛散した水はフランジ部３の上面に当たるため、タンク１とハウジング本体１２との間に入り込むことがなくなる。
【００２０】
またフランジ部３の上面は内側に行くにつれて下方に傾斜しているので、フランジ部３の上面に水が留まることを防止し、スムーズにタンク１内に水を流すことができる。
【００２１】
さらに蓋１３の下端面の内側部には下向き突片１４を周設し、該下向き突片１４の外周面が蓋１３の下端面とハウジング本体１２の上端面との間を覆うように配置されているので、結露した水が蓋１３の縦板１８の下端面とハウジング本体１２の上端面との間からハウジング２の外部へと漏れることを防止することができる。
【００２２】
また図２に示すようにフランジ部３の先端をタンク１の内周面よりも内側に突出し、該
フランジ部３の先端に下向きに突出する水漏れ防止片４を設け、水漏れ防止片４の下面がタンク１の上端面よりも下方に位置するように形成しても良い。このように水漏れ防止片４を設けることで、水漏れ防止片４によってフランジ部３の下面とタンク１の上端面との間が覆われるために、より一層蓋１３の下面に結露した水及びタンク１内に貯えられた水の水面から飛散した水とがハウジング２とタンク１との間に流れ込むことを防止できる。さらにタンク１の上端部をハウジング本体１２の内面上端部と水漏れ防止片４の外面とで覆うことで、タンク１内に水を入れる等して生じてしまうタンク１の上端部の変形を防止することができる。
【００２３】
そして上記構成を有するロータンクにあっては、図３に示すようにハウジング２の蓋１３の上面に手洗い部５をハウジング２と一体に設けている。また手洗い部５には手洗い用給水手段１５を有しており、手洗い部５の下端部には排水手段６を設けている。排水手段６は、上向きに開口し手洗い部５と連通する上開口７と、斜め下向きに開口する下開口部と、上開口７と下開口部とを接続する流路部と、該流路部内の上開口７の下方に設けた水受け部１０と、を備え、前記上開口７と、下向きに開口しタンク１の開口に対向する下開口８と、上開口７と下開口８とを接続する流路９と、上開口７に対向する位置に設けた前記水受け部１０とで構成され、前記下開口部先端の水平に離れた位置には手洗い部５から鉛直下方に向けて突出する壁を設けている。また流路９と水受け部１０とは共に手洗い部５と一体に形成されている。
使用者が手を洗う場合は手洗い部５の手洗い用給水手段１５から流れてくる水を利用して手を洗う。手洗いに使用された水は上開口７から流路９内に流れこみ、流路９を通って下開口８よりタンク１に流れる。下開口８から流れ出た水はタンク１内に貯えられた後、便器に排水され、便器の洗浄に利用される。この場合、上開口７から流路９内に流れ込んだ水は上開口７の下方に設けた水受け部１０の上面に当たり、水の落ちる速度が遅くなるため、衝突して飛散することなくタンク１内に水を流すことが出来る。さらに流路９の下開口８を下向きに開口させることで、手洗い部５から排出された水が水受け部１０に当たり周囲に跳ね返ったとしても、その水は流路９の内面に当たるため、下開口８から下方に向けてタンク１内に確実に水を流すことができ、手洗い部５より排出された水がタンク１とハウジング２との間に流れ込んだり、ハウジング本体１２の上端面と蓋１３の下端面との間に流れ込んだりすることをより一層防止できる。またボールタップや排水弁に手洗い部５から排出された水が勢いよく当たることもなくなり、タンク１の給水や排水の動作も安定する。さらに排水手段６を手洗い部５と一体に設けたことで、コストアップすることなく水漏れを防止することが可能となっている。
【００２４】
【発明の効果】
上記のように本発明の請求項１記載の発明にあっては、ハウジングに結露した水やタンク内に貯えられた水の水面から飛散した水がハウジングとタンクとの間に流れ込むことを防止できものである。またハウジングに温水洗浄装置等のトイレ廻りの設備を内装したロータンクにおいては水漏れによる温水洗浄装置の故障を防止することができる。また排水手段の上開口の下方に水受け部を設けることで、手洗い部から排出された水の下方向への勢いを抑え、タンク内に貯えられた水の水面から水が飛散しないようになり、タンクとハウジングとの間に手洗い部から排出された水が流れ込むことをより一層防止することができる。またボールタップや排水弁に手洗い部より排出された水が勢いよく当たることもなくなり、タンクの給水や排水の切り替えの誤動作を防止することができる。
【００２５】
また請求項２記載の発明にあっては、上記請求項１記載の発明の効果に加えてフランジ部の上面を傾斜させることで、フランジ部上面に水が留まることを防止し、確実にタンク内に結露した水を流すことができるものである。
【００２６】
また請求項３記載の発明にあっては、上記請求項１又は請求項２記載の発明の効果に加えて、フランジ部の先端に水漏れ防止片を設けることで、フランジ部の下面とタンクの上端面との間を覆うことができ、より一層ハウジングに結露した水やタンク内に貯えられた水の水面から飛散した水がハウジングとタンクとの間に流れ込むことを防止できるものである。さらにタンクの上端部をハウジングの内面と水漏れ防止片の外面とで覆うことで、タンクの上端部の変形を防止することができ、タンクの変形による隙間からの水漏れを防止することができる。
【図面の簡単な説明】
【図１】  本発明のロータンクの基本的な構成の一例を示す断面図である。
【図２】  本発明のロータンクの基本的な構成の他例を示す断面図である。
【図３】  本発明のロータンクの断面図である。
【図４】  従来の手洗い部を有するロータンクを示す断面図である。
【符号の説明】
１  タンク
２  ハウジング
３  フランジ部
４  水漏れ防止片
５  手洗い部
６  排水手段
７  上開口
８  下開口
９  流路
１０  水受け部
【図１】
0003719209.tif 000002
【図２】
0003719209.tif 000003
【図３】
0003719209.tif 000004
【図４】
0003719209.tif 000005